(57)【要約】【課題】簡単な構造で、連結スライドファスナーの任意の位置に簡単に取り付け可能であり、操作性が良好なスライドファスナーを提供する。【解決手段】一方のスライダー６０の連結柱７０とは反対側のファスナーチェーン部１２に取り付けられ、ファスナーチェーン部１２の表面１２ａを覆う表部材１８と、ファスナーチェーン部１２の裏面１２ｂを覆う裏部材２０が互いに係合している。一方のスライダー６０側に位置する表部材１８の端部１８ｂと、一方のスライダー６０側に位置する裏部材２０の端部２０ｂとの間に、ファスナーエレメント１６が位置し、ファスナーチェーン部１２を挟持する。他方のスライダー６２には、一方のスライダー６０の一部が差し込まれて連結される弾性係止部材８２を備える。裏部材２０の端部２０ｂには、弾性係止部材８２をファスナーチェーン部１２から離れる方へ移動させて、一方のスライダー６０との連結を解除するスライダー用ガイド面３８を備える。【選択図】図２
2018183405.tif 000002
【特許請求の範囲】
【請求項１】
部材の開閉を可能にするファスナーチェーン部（１２）のファスナーエレメント（１６）に、互いに連結される一対のスライダー（６０，６２）が、各々連結柱（７０）を対向させて取り付けられたスライドファスナー（１１）であって、
前記ファスナーチェーン部（１２）に設けられた一方の前記スライダー（６０）の前記連結柱（７０）とは反対側の前記ファスナーチェーン部（１２）に取り付けられ、前記ファスナーチェーン部（１２）の表面（１２ａ）を覆う表部材（１８）と、前記ファスナーチェーン部（１２）の裏面（１２ｂ）を覆う裏部材（２０）が、互いに係合して取り付けられ、
前記表部材（１８）の、前記一方のスライダー（６０）側に位置する端部（１８ｂ）と、前記裏部材（２０）の、前記一方のスライダー（６０）側に位置する端部（２０ｂ）との間に、前記ファスナーエレメント（１６）が位置し、前記ファスナーチェーン部（１２）を、前記表面（１２ａ）と前記裏面（１２ｂ）から挟んで互いに対向し、
他方の前記スライダー（６２）には、前記一方のスライダー（６０）の一部が差し込まれて連結される弾性係止部材（８２）が設けられ、
前記裏部材（２０）の前記端部（２０ｂ）には、前記弾性係止部材（８２）に当接して前記弾性係止部材（８２）を前記ファスナーチェーン部（１２）から離れる方へ移動させて、前記一方のスライダー（６０）との連結を解除する係止部材用ガイド面（３８）が設けられていることを特徴とするスライドファスナー。
【請求項２】
前記表部材（１８）には、前記裏部材（２０）に向かって突出する嵌合部（２８）が設けられ、前記裏部材（２０）には前記嵌合部（２８）が差し込まれる係止孔（４２）と、前記係止孔（４２）の内側に突出する弾性片（４４）が設けられ、
前記嵌合部（２８）は、前記ファスナーチェーン部（１２）の前記ファスナーエレメント（１６）の噛合を解除した開き部（１７）に挿入されて前記裏面（１２ｂ）に突出し、前記裏部材（２０）の前記係止孔（４２）に嵌合され前記弾性片（４４）で固定される請求項１記載のスライドファスナー。
【請求項３】
前記表部材（１８）と前記裏部材（２０）は、前記一方のスライダー（６０）の一部が嵌合される収容空間（２２，３４）が互いに対向して、前記端部（１８ｂ，２０ｂ）に開口して形成され、
前記係止部材用ガイド面（３８）は、前記一方のスライダー（６０）と前記他方のスライダー（６２）が連結された状態で、前記一方のスライダー（６０）が前記収容空間（２２，３４）に嵌合されたときに、前記弾性係止部材（８２）に当接して前記一方のスライダー（６０）との連結を解除する位置に設けられている請求項１記載のスライドファスナー。
【請求項４】
前記収容空間（３４）の底部（３４ａ）の、前記一方のスライダー（６０）側の端部（３４ｂ）には、前記一方のスライダー（６０）の外側面に当接し前記一方のスライダー（６０）を前記収容空間（３４）へ導くスライダー用ガイド面（３６）が形成されている請求項１又は３記載のスライドファスナー。
【請求項５】
前記一方のスライダー（６０）には、前記弾性係止部材（８２）に差し込まれて連結されるフック（７６）が設けられ、
前記弾性係止部材（８２）は前記他方のスライダー（６２）と別体であり、一方向に長い板体で、長手方向の一方の端部（８２ｃ）には前記他方のスライダー（６２）に取り付ける一対の取付鉤部（８６）が設けられ、反対側の端部（８２ｄ）は前記他方のスライダー（６２）の外側に突出し、前記一方のスライダー（６０）の前記フック（７６）が差し込まれて係止される透孔（９４）と、前記係止部材用ガイド面（３８）に当接する当接面（９０）と、前記フック（７６）に当接して前記弾性係止部材（８２）を前記ファスナーチェーン部（１２）から離れる方へ移動させて前記フック（７６）を乗り越えさせて前記透孔（９４）に前記フック（７６）を導く当接突起（９２）が設けられている請求項１記載のスライドファスナー。
【請求項６】
前記表部材（１８）と前記裏部材（２０）の、一方には他方へ向かって突出する凸部（３０，５６）が設けられ、他方には前記凸部（３０，５６）が嵌合する凹部（３２，５４）が設けられ、
前記凸部（３０，５６）は前記ファスナーチェーン部（１２）を挟んで前記凹部（３２，５４）に差し込まれて前記ファスナーチェーン部（１２）を挟持し、前記ファスナーチェーン部（１２）に対して移動不可能に取り付けられる請求項１記載のスライドファスナー。
【請求項７】
前記透孔（９４）の周囲には厚みの薄い段部（９６）が設けられ、
前記フック（７６）は、軸部（７８）を有し、前記軸部（７８）の側面に面取りされた逃げ部（７９）を有する請求項５記載のスライドファスナー。
【発明の詳細な説明】
【技術分野】
【０００１】
この発明は、部材の開閉を可能にする一対のスライダーを連結可能に保持したスライドファスナーに関する。
【背景技術】
【０００２】
従来、部材を開閉するスライドファスナーには、ファスナーチェーン部を開閉するスライドファスナー用のスライダーが一対に設けられ、一対のスライダーが互いに連結可能であり、連結させた状態を保持することができるものがある。このような連結可能なスライダーを有したスライドファスナーは、例えば鞄の開口部等に取り付けられ、防犯のため不用意に開けられることを防ぐことができる。この種のスライドファスナーには、一対のスライダーの連結を解除するために、ファスナーチェーン部の端部に、連結解除用の下止が設けられている。
【０００３】
特許文献１に開示されているスライドファスナーは、一対のスライダーの一方にフック状突起が設けられ、他方にフック状突起が係止される被係止突起が設けられている。そして、一対のスライダーを隣接させることにより、フック状突起が被係止突起に係止され互いに連結される。また下止には、スライドファスナーの裏面に、一対のスライダーに向かって突出する解除用突起が設けられ、一対のスライダーを連結した状態で下止に当てると、解除用突起にフック状突起が押され、被係止突起から外れ、一対のスライダーの連結が解除される。この後、一方のスライダーを移動させ、他方のスライダーから離間させると、離間した部分のファスナーチェーン部が開き、鞄等を開けることができる。
【先行技術文献】
【特許文献】
【０００４】
【特許文献１】中国特許１００４７５０７６Ｃ
【発明の概要】
【発明が解決しようとする課題】
【０００５】
上記背景技術の場合、下止に設けられた解除用突起は裏面側にのみ設けられているので、例えばファスナー本体がスライダーを動かす力により曲がると、ファスナーチェーン部の裏面から解除用突起の先端が離れて、スライダーのフック状突起を押すことができないことがある。この場合、スライダーを下止に当てても連結が解除されないため、使用者はファスナーチェーン部の曲がりを直す等の操作が必要であり、操作性が良くないものである。また、下止はファスナーチェーン部の端部に固定され、長手方向の途中に設けることは考えられておらず、取り付ける製品の構造や製造工程に合わせてファスナーチェーン部の任意の位置に取り付けることができず、また取付位置から移動を防ぐことも考えられていないものである。
【０００６】
この発明は、上記背景技術の問題点に鑑みてなされたものであり、簡単な構造で、スライドファスナーの任意の位置に簡単に取り付け可能であり、互いに連結されたスライダーを押し付けるだけで確実に連結を解除することができ、操作性が良好なファスナーを提供することを目的とする。
【課題を解決するための手段】
【０００７】
本発明は、部材の開閉を可能にするファスナーチェーン部のファスナーエレメントに、互いに連結される一対のスライダーが、各々連結柱を対向させて取り付けられたスライドファスナーであって、前記ファスナーチェーン部に設けられた一方の前記スライダーの前記連結柱とは反対側の前記ファスナーチェーン部に取り付けられ、前記ファスナーチェーン部の表面を覆う表部材と、前記ファスナーチェーン部の裏面を覆う裏部材が、互いに係合して取り付けられ、前記表部材の、前記一方のスライダー側に位置する端部と、前記裏部材の、前記一方のスライダー側に位置する端部との間に、前記ファスナーエレメントが位置し、前記ファスナーチェーン部を、前記表面と前記裏面から挟んで互いに対向し、他方の前記スライダーには、前記一方のスライダーの一部が差し込まれて連結される弾性係止部材が設けられ、前記裏部材の前記端部には、前記弾性係止部材に当接して前記弾性係止部材を前記ファスナーチェーン部から離れる方へ移動させて、前記一方のスライダーとの連結を解除する係止部材用ガイド面が設けられているスライドファスナーである。
【０００８】
前記表部材には、前記裏部材に向かって突出する嵌合部が設けられ、前記裏部材には前記嵌合部が差し込まれる係止孔と、前記係止孔の内側に突出する弾性片が設けられ、前記嵌合部は、前記ファスナーチェーン部の前記ファスナーエレメントの噛合を解除した開き部に挿入されて前記裏面に突出し、前記裏部材の前記係止孔に嵌合され前記弾性片で固定されるものである。
【０００９】
前記表部材と前記裏部材は、前記一方のスライダーの一部が嵌合される収容空間が互いに対向して、前記端部に開口して形成され、前記係止部材用ガイド面は、前記一方のスライダーと前記他方のスライダーが連結された状態で、前記一方のスライダーが前記収容空間に嵌合されたときに、前記弾性係止部材に当接して前記一方のスライダーとの連結を解除する位置に設けられているものである。
【００１０】
前記収容空間の底部の、前記一方のスライダー側の端部には、前記一方のスライダーの外側面に当接し前記一方のスライダーを前記収容空間へ導くスライダー用ガイド面が形成されているものである。前記一方のスライダーには、前記弾性係止部材に差し込まれて連結されるフックが設けられ、前記弾性係止部材は前記他方のスライダーと別体であり、一方向に長い板体で、長手方向の一方の端部には前記他方のスライダーに取り付ける一対の取付鉤部が設けられ、反対側の端部は前記他方のスライダーの外側に突出し、前記一方のスライダーの前記フックが差し込まれて係止される透孔と、前記係止部材用ガイド面に当接する当接面と、前記フックに当接して前記弾性係止部材を前記ファスナーチェーン部から離れる方へ移動させて前記フックを乗り越えさせて前記透孔に前記フックを導く当接突起が設けられているものである。
【００１１】
前記表部材と前記裏部材の、一方には他方へ向かって突出する凸部が設けられ、他方には前記凸部が嵌合する凹部が設けられ、前記凸部は前記ファスナーチェーン部を挟んで前記凹部に差し込まれて前記ファスナーチェーン部を挟持し、前記ファスナーチェーン部に対して移動不可能に取り付けられるものである。
【００１２】
前記透孔は、一方向に長い形状で、互いに平行な一対の長い側縁部を有し、前記一方のスライダーの前記フックは、前記一対の長い側縁部に対して平行な２側面とこの２側面に交差する２側面を有する四角柱状の軸部を有し、前記軸部の角部は面取りされた逃げ部が形成されているものである。さらに、前記一方のスライダーの前記フックの前記軸部には、前記透孔の長手方向の端部に係止される係止突起が側方に突出して設けられ、前記透孔の長手方向の端部には前記係止突起が係止されるくぼみである係止凹部が設けられ、前記透孔の前記係止凹部以外の周縁部には、前記弾性係止部材の厚みより一段低い段部が設けられている。前記段部は前記係止凹部とほぼ同じ深さに設けられている。
【発明の効果】
【００１３】
本発明のスライドファスナーは、簡単な構造で、連結スライドライドファスナーの任意の位置に簡単に強固に取り付けられ、取り付けられた所定の位置から移動することがない。しかも、互いに連結された一対のスライダーを当てるだけで確実に連結を解除することができ、操作性が良好である。
【図面の簡単な説明】
【００１４】
【図１】この発明の第一実施形態のスライドファスナーの連結ファスナー用下止の表部材側から見た斜視図である。
【図２】この実施形態のスライドファスナーの連結ファスナー用下止の裏部材側から見た斜視図である。
【図３】この実施形態のスライドファスナーの連結ファスナー用下止の表部材の、外側面から見た斜視図（ａ）と内側面から見た斜視図（ｂ）である。
【図４】この実施形態のスライドファスナーの連結ファスナー用下止の表部材の、平面図（ａ）と正面図（ｂ）、右側面図（ｃ）である。
【図５】この実施形態のスライドファスナーの連結ファスナー用下止の裏部材の、内側面から見た斜視図（ａ）と外側面から見た斜視図（ｂ）である。
【図６】この実施形態のスライドファスナーの連結ファスナー用下止の裏部材の、平面図（ａ）と正面図（ｂ）、右側面図（ｃ）である。
【図７】この実施形態のスライドファスナーの連結ファスナー用下止のファスナーチェーン部への取り付け工程を示す縦断面図である。
【図８】この実施形態のスライドファスナーの連結ファスナー用下止の正面図である。
【図９】図８のＡ−Ａ線縦断面図である。
【図１０】図８のＢ−Ｂ線縦断面図である。
【図１１】この実施形態のスライドファスナーのオススライダーの斜視図である。
【図１２】図１１のオススライダーの正面図（ａ）と右側面図（ｂ）、背面図（ｃ）である。
【図１３】この実施形態のスライドファスナーのメススライダーの斜視図である。
【図１４】図１３のメススライダーの正面図（ａ）と右側面図（ｂ）、背面図（ｃ）である。
【図１５】図１３のメススライダーの弾性係止部材の正面図（ａ）と右側面図（ｂ）、背面図（ｃ）、縦断面図（ｄ）である。
【図１６】この実施形態のスライドファスナーの正面図である。
【図１７】この実施形態のスライドファスナーのオススライダーとメススライダーが連結解除されている状態を示す縦断面図である。
【図１８】図１７のオススライダーとメススライダーが連結される工程を示す縦断面図である。
【図１９】図１８のオススライダーとメススライダーが連結された状態を示す縦断面図である。
【図２０】図１９のオススライダーとメススライダーが連結ファスナー用下止の収容空間に収容される工程を示す縦断面図である。
【図２１】図２０のオススライダーとメススライダーが連結解除される工程を示す縦断面図である。
【図２２】図２１のオススライダーとメススライダーが連結解除された状態を示す縦断面図である。
【発明を実施するための形態】
【００１５】
以下、この発明のスライドファスナーの実施形態について図面に基づいて説明する。図１、図２はこの発明の一実施形態を示すもので、この実施形態のスライドファスナーは、図１６に示すように、部材の開閉を可能にするファスナーチェーン部１２のファスナーエレメント１６に、互いに連結されるオススライダー６０とメススライダー６２が取り付けられ、ファスナーチェーン部１２の端部に連結ファスナー用下止１０が設けられたスライドファスナー１１である。連結ファスナー用下止１０は、ファスナーチェーン部１２のオススライダー６０側に取り付けられている。ファスナーチェーン部１２には一対のファスナーテープ１４が設けられ、一対のファスナーテープ１４の隣接する側縁部にファスナーエレメント１６が対向して各々設けられている。
【００１６】
連結ファスナー用下止１０は、ファスナーチェーン部１２の長手方向の端部付近に、一対のファスナーテープ１４がファスナーエレメント１６により閉じられた状態で、ファスナーエレメント１６を覆って取り付けられている。連結ファスナー用下止１０は、ファスナーチェーン部１２の表面１２ａに位置する表部材１８と、ファスナーチェーン部１２の裏面１２ｂに位置する裏部材２０が互いに係合して設けられている。図１は、連結ファスナー用下止１０をファスナーチェーン部１２の表面１２ａから見た斜視図であり、表部材１８が見えている。図２は、連結ファスナー用下止１０をファスナーチェーン部１２の裏面１２ｂから見た斜視図であり、裏部材２０が見えている。
【００１７】
まず、連結ファスナー用下止１０の表部材１８について、図３、図４に基づいて説明する。表部材１８は、ファスナーチェーン部１２の長手方向に沿って長い矩形の板体である。図３（ａ）は、ファスナーチェーン部１２と反対側に位置する外側面１８ａを示す斜視図であり、外側面１８ａは平滑で、僅かに中央が高くなる曲面で形成されている。表部材１８の、長手方向の一方の端部１８ｂには、後述するオススライダー６０の胴体６４が嵌合される収容空間２２が凹形状に設けられている。収容空間２２は、表部材１８の厚みを貫通して設けられ、外側面１８ａと、外側面１８ａの反対側の内側面１８ｃに開口して形成されている。収容空間２２は、端部１８ｂに対して略直角に交差する一対の端縁部２２ａと、一対の端縁部２２ａの端部１８ｂと反対の端部同士を連結し端部１８ｂに対して平行な端縁部２２ｂで囲まれた矩形であり、端縁部２２ａは、端部１８ｂに近い部分が、互いの間隔が広くなっている。
【００１８】
図３（ｂ）は、ファスナーチェーン部１２に当接する内側面１８ｃを示す斜視図であり、平面的に形成されている。内側面１８ｃの中心には、収容空間２２の端縁部２２ｂと、端部１８ｂと反対側の端部１８ｄに連通する収容溝部２４が設けられている。収容溝部２４は内側面１８ｃから所定の深さであり、ファスナーエレメント１６が嵌合される深さに形成されている。収容溝部２４は表部材１８の長手方向に沿って貫通し、長手方向に交差する幅は、中央部分が広く、端縁部２２ｂと端部１８ｄに連通する端部がやや狭く、狭い部分はファスナーエレメント１６が互いに噛合した状態で嵌合される幅である。
【００１９】
収容溝部２４の中央部分には、差込突部２６が設けられている。差込突部２６は、収容溝部２４の底２４ａから略直角に立設され、底２４ａに対して平行な断面形状は、表部材１８の長手方向に沿って細長く、表部材１８の長手方向の両端部は先端に行くほど細くなる鋭角に形成されている。差込突部２６の、収容溝部２４の底２４ａと反対側の突出面２６ａは、内側面１８ｃよりも高く形成され、また内側面１８ｃに対して平行な平面である。突出面２６ａには、端部１８ｂに近い位置に、嵌合部２８が一体に設けられている。嵌合部２８は、突出面２６ａに対して平行な面を有する矩形の板状体であり、表部材１８の長手方向に沿う２辺と、長手方向に略直角に交差する２辺で囲まれている。嵌合部２８の、長手方向に交差する幅は差込突部２６よりも広く、差込突部２６の両側の側方に一部が突出している。
【００２０】
内側面１８ｃには、端部１８ｄの近傍に、内側面１８ｃから突出する凸部３０が設けられ、凸部３０は収容溝部２４の両側に１個ずつ設けられている。凸部３０に近接して、端部１８ｄと反対側には、凹部３２が設けられ、凹部３２は収容溝部２４の両側に１個ずつ設けられている。
【００２１】
次に、連結ファスナー用下止１０の裏部材２０について、図５、図６に基づいて説明する。裏部材２０は、表部材１８と同じ形状でファスナーチェーン部１２の長手方向に沿って長い矩形の板体である。図５（ａ）は、ファスナーチェーン部１２に当接する内側面２０ｃを示す斜視図であり、図６（ｂ）はファスナーチェーン部１２と反対側に位置する外側面２０ａを示す斜視図である。
【００２２】
内側面２０ｃは平面的に形成され、表部材１８の端部１８ｂに対向する端部２０ｂには、後述するオススライダー６０の胴体６４が嵌合される収容空間３４が設けられている。収容空間３４は、裏部材２０の厚みの一部を所定深さで切り欠いて形成され、表部材１８の収容空間２２に対面して開口する同じ形状に形成されている。収容空間３４の底部３４ａの、端部２０ｂに連続する端部３４ｂは、厚みの角部が両方面取りされて鋭角に形成されている。底部３４ａ側の面取りされた傾斜面は、オススライダー６０に当接してオススライダー６０を収容空間３４に導くオススライダー用ガイド面３６となる。底部３４ａと反対側の外側面２０ａ側の面取りされた傾斜面は、メススライダー６２に当接してオススライダー６０との連結を外す係止部材用ガイド面３８となる。収容空間３４の底部３４ａの、端部２０ｂに連続する端部３４ｂは、中心に矩形の切欠部４０が設けられている。切欠部４０は、オススライダー６０の後述するフック７６が嵌合される形状である。
【００２３】
内側面２０ｃの中心から端部２０ｂと反対の端部２０ｄの近傍にかけて係止孔４２が設けられている。係止孔４２は、表部材１８の差込突部２６と嵌合部２８が差し込まれて係止されるものである。係止孔４２は、裏部材２０の厚みを貫通して設けられ、外側面２０ａと内側面２０ｃに連通して形成され、裏部材２０の長手方向に沿う２辺と、長手方向に略直角に交差する２辺で囲まれた矩形である。係止孔４２の、端部２０ｄの近傍に位置する側縁部４２ａには、外側面２０ａと面一に連続する位置に、裏部材２０の厚みより薄い弾性片４４が一体に設けられている。
【００２４】
弾性片４４は、係止孔４２にゆとりを有して嵌合される小さい矩形であり、側縁部４２ａから係止孔４２中心に向かって突出し、弾性片４４の先端部４４ａは係止孔４２の中心をわずかに超える位置に達している。弾性片４４は、裏部材２０の厚みより薄く形成されているため、外側面２０ａから見ると外側面２０ａと面一に連続し係止孔４２の内側をわずかなゆとりを有して閉鎖しているように見えるが、内側面２０ｃから見ると係止孔４２が開口しているだけに見える。弾性片４４の先端部４４ａと、係止孔４２の側縁部４２ａと反対側の側縁部４２ｂで囲まれた矩形の空間は、嵌合部２８がわずかなゆとりを有して嵌合される矩形の形状となる。弾性片４４の内側面２０ｃ側の面には、先端部４４ａと、先端部４４ａに連続する一対の側縁部に沿うコの字形の当接部４６が、弾性片４４の厚み方向に突出して一体に設けられている。当接部４６の突出長さは、弾性片４４の先端部４４ａが高く、弾性片４４の基端部、つまり係止孔４２の側縁部４２ａに向かって徐々に低くなり、やがて弾性片４４と面一になっている。
【００２５】
係止孔４２の側縁部４２ｂと、側縁部４２ｂに連続する一対の側縁部には、内側面２０ｃと面一に連続する位置に、裏部材２０の厚みより薄い嵌合部保持部４８が設けられている。嵌合部保持部４８は、係止孔４２の側縁部４２ｂから、弾性片４４の先端部４４ａに付近に達する大きさである。嵌合部保持部４８の中心には、長手方向に沿って細い切欠部５０が設けられている。切欠部５０は、表部材１８と裏部材２０が組み合わされた時に表部材１８の差込突部２６が内側面２０ｃから差し込まれるものであり、表部材１８の差込突部２６が嵌合される幅に形成されている。差込突部２６は外側面２０ａに達しない高さであり、切欠部５０の側縁部４２ｂ側の端部は、側縁部４２ｂを少し超えて端部２０ｂに近い位置に達し、その部分は外側面２０ａとの間が切り残されている。嵌合部保持部４８の外側面２０ａ側の面には、嵌合部保持部４８の側縁部４２ａ側の端縁部に、僅かにくぼむ湾曲面で形成された嵌合部用ガイド面５２が設けられている。嵌合部用ガイド面５２は、側縁部４２ｂに近づくほど外側面２０ａに近くなるように傾斜し、表部材１８と裏部材２０を組み付けるときに嵌合部２８の差込突部２６側の面に当接して嵌合部２８を係止孔４２の側縁部４２ｂ側の空間に導く。嵌合部保持部４８は、裏部材２０の厚みより薄く形成されているため、内側面２０ｃから見ると内側面２０ｃと面一に連続しているよう見えるが、外側面２０ａから見ると係止孔４２が開口しているだけに見える。
【００２６】
内側面２０ｃには、端部２０ｄの近傍に、内側面２０ｃからくぼむ凹部５４が設けられ、凹部５４は係止孔４２の両側に１個ずつ設けられている。凹部５４の、端部２０ｄと反対側の近傍には、凸部５６が設けられ、凸部５６は係止孔４２の両側に１個ずつ設けられている。
【００２７】
次に、連結ファスナー用下止１０の、ファスナーチェーン部１２への取付方法について説明する。ファスナーチェーン部１２の取付位置に、一対のファスナーテープ１４のファスナーエレメント１６の噛合を解除して開き部１７を作り、図３（ｂ）に示すように開き部１７に表部材１８の差込突部２６と嵌合部２８を、ファスナーチェーン部１２の表面１２ａから差し込む。ファスナーチェーン部１２の裏面１２ｂから、開き部１７に裏部材２０を当て、突出した差込突部２６と嵌合部２８を、係止孔４２の側縁部４２ａに近い位置に入れる。この時、表部材１８の端部１８ｄと裏部材２０の端部２０ｄはずれている。
【００２８】
次に裏部材２０を、端部２０ｄが端部１８ｄに近づく方向に摺動させる。嵌合部２８の差込突部２６側の面は、嵌合部保持部４８の嵌合部用ガイド面５２に乗り上がり、誘導されて嵌合部保持部４８に重ねられ、このとき表部材１８と裏部材２０はファスナーチェーン部１２を挟んだ状態で摺動可能であって離れなくなる。そして嵌合部２８に、弾性片４４の当接部４６が当接し、図７に示すように当接部４６の高さが高くなるにつれて弾性片４４が外側に弾性変形する。
【００２９】
さらに裏部材２０を摺動させ、弾性片４４の当接部４６が嵌合部２８を通過すると、つまり弾性片４４の先端部４４ａが嵌合部２８を通過すると、弾性片４４の弾性変形は復元し、図８、図９、図１０に示すように、嵌合部２８が係止孔４２の側縁部４２ｂに近い位置に嵌合され、摺動不可能となる。この時、表部材１８の端部１８ｄと、裏部材２０の端部２０ｄは一致する。
【００３０】
これで連結ファスナー用下止１０の、ファスナーチェーン部１２への取り付けが完了する。表部材１８の凸部３０は裏部材２０の凹部５４にファスナーチェーン部１２のファスナーテープ１４を挟持した状態で差し込まれ、また凸部５６も凹部３２にファスナーテープ１４を挟持した状態で差し込まれ、連結ファスナー用下止１０はファスナーチェーン部１２の長手方向に移動することがない。なお、連結ファスナー用下止１０をファスナーチェーン部１２から外す時は、弾性片４４を外側に弾性変形させて、裏部材２０を強い力で摺動して嵌合部２８を通過させ、外すことができる。
【００３１】
連結ファスナー用下止１０は、図１６に示すように、ファスナーチェーン部１２を開閉するオススライダー６０と、メススライダー６２の、オススライダー６０側のファスナーチェーン部１２の端部に取り付けられ、オススライダー６０とメススライダー６２がファスナーチェーン部１２から抜け落ちることを防ぐものである。オススライダー６０とメススライダー６２の間のファスナーエレメント１６は、噛合が解除された開き部１７となり、オススライダー６０の外側とメススライダー６２の外側は噛合して閉じた状態となる。オススライダー６０とメススライダー６２は、当接すると互いに連結され、一緒に摺動する。連結した状態でどちらの方向に摺動してもファスナーエレメント１６が噛合して閉じた状態となる。オススライダー６０とメススライダー６２が連結した状態で連結ファスナー用下止１０に当接すると、オススライダー６０とメススライダー６２の連結が解除される。
【００３２】
次に、オススライダー６０について、図１１、図１２に基づいて説明する。オススライダー６０は、ファスナーチェーン部１２のファスナーエレメント１６を開閉する胴体６４と、胴体６４を操作するための引手６６と、胴体６４の外側面に引手６６を保持する引手取付部６８とを備えている。
【００３３】
胴体６４は、ファスナーチェーン部１２のファスナーエレメント１６を表面１２ａから挟む上板６４ａと、裏面１２ｂから挟む下板６４ｂが設けられ、上板６４ａと下板６４ｂの間には連結柱７０が設けられている。連結柱７０は、上板６４ａと下板６４ｂの、ファスナーエレメント１６が分離して出てくる方向の端部６０ａに設けられている。上板６４ａと下板６４ｂの間の空間はファスナーエレメント１６が通過する案内路７２であり、案内路７２はファスナーエレメント１６が分離して出てくる端部６０ａ側が連結柱７０により２方向に分割され、ファスナーエレメント１６が噛合して出てくる端部６０ｂ側では１つの空間となり、Ｙ字形になり上板６４ａと下板６４は端部６０ｂに近づくにつれて幅が細くなっている。上板６４ａの、端部６０ｂに近い側縁部には、下板６４ｂとの間を覆うガイド縁部７４が設けられている。ガイド縁部７４は、下板６４ｂの側縁部に向かって上板６４ａの面に対して略直角に突出し、ガイド縁部７４の先端と下板６４ｂの間にはファスナーチェーン部１２のファスナーテープ１４が通過可能な空間がスリット状に設けられている。ガイド縁部７４は、ファスナーエレメント１６に沿って胴体６４の摺動をガイドする。
【００３４】
下板６４ｂの、上板６４ａと反対側の外側面には、フック７６が設けられている。フック７６は、下板６４ｂの端部６０ａに近い位置に設けられている。フック７６は、端部６０ａ，６０ｂに対して略平行な２側面と、略直角な２側面を有する四角柱状の軸部７８を有し、軸部７８の、端部６０ａに対面する側面７８ａは、下板６４ｂから離れるにつれて端部６０ａから離れる傾斜面である。軸部７８の先端部分には、側面７８ａと反対側の、端部６０ｂに対面する側面７８ｂから突出する係止突起８０が設けられている。軸部７８の、側面７８ｂの両側に位置する角部は、面取りされて逃げ部７９が設けられている。
【００３５】
次に、メススライダー６２について、図１３、図１４、図１５に基づいて説明する。メススライダー６２は、オススライダー６０と同様に、胴体６４と引手６６、引手取付部６８、連結柱７０、案内路７２、ガイド縁部７４が設けられている。メススライダー６２は、ファスナーエレメント１６が分離して出てくる方が端部６２ａであり、ファスナーエレメント１６が噛合して出てくる方が端部６２ｂである。
【００３６】
メススライダー６２の下板６４ｂの、上板６４ａと反対側の外側面には、後述する弾性係止部材８２が取り付けられる取付突起８４が一体に設けられている。取付突起８４は、下板６４ｂに対して略直角に外側に突出する支柱部８４ａと、支柱部８４ａの先端に設けられ支柱部８４ａの両側に広がりフランジ状となる板部８４ｂが設けられている。板部８４ｂは、下板６４ｂに対して平行な板体である。取付突起８４は、メススライダー６２の端部６２ｂに隣接して設けられ、板部８４ｂの形状は、端部６２ｂに一辺が一致する略台形状であり、端部６２ｂと反対側の短い一辺は下板６４ｂの中心付近に達している。
【００３７】
メススライダー６２には、別部材の弾性係止部材８２が取り付けられている。弾性係止部材８２は適度な合成を有する合成樹脂で設けられている。弾性係止部材８２は、図１５に示すように、一方向に長い板体であり、弾性係止部材８２は、メススライダー６２に取り付けられた時に長手方向がメススライダー６２の端部６２ａと端部６２ｂを結ぶ方向、つまりファスナーエレメント１６が挿通する方向に対して略平行に取り付けられるものであり、長手方向にメススライダー６２よりも長い。弾性係止部材８２の一方の面は、メススライダー６２の下板６４ｂに重ねられる上側面８２ａであり、反対側が下側面８２ｂである。長手方向の一方の端部８２ｃが、メススライダー６２の端部６２ｂに取り付けられ、長手方向の他方の端部８２ｄが、メススライダー６２の端部６２ａから側方に突出する。
【００３８】
端部８２ｃにはメススライダー６２の取付突起８４の、支柱部８４ａを両側から挟んで取り付ける一対の取付鉤部８６が設けられている。一対の取付鉤部８６の基端部付近の中間には、係合突起８７が設けられている。係合突起８７は、弾性係止部材８２をメススライダー６２に取り付けた時にメススライダー６２の取付突起８４の板部８４ｂに隣接し、取付突起８４と下側面８２ｂの間の段差を滑らかにする。
【００３９】
弾性係止部材８２の下側面８２ｂには、端部８２ｄと、端部８２ｄに連続する一対の側縁部に沿うコの字形の壁部８８が、弾性係止部材８２の厚み方向に突出して一体に設けられている。壁部８８の突出長さは、端部８２ｄが高く、端部８２ｃに向かって徐々に低くなり、係合突起８７の近傍で、下側面８２ｂと面一になっている。壁部８８の、端部８２ｄに位置する部分は、壁部８８の外側面が、下側面８２ｂから離れるにつれて長手方向の外側へ向かう傾斜面９０で形成されている。当接面９０のほぼ中央には、当接面９０から突出する当接突起９２が設けられている。
【００４０】
弾性係止部材８２の、コの字形の壁部８８に囲まれた部分のほぼ中央には、オススライダー６０のフック７６が嵌合されて係止される透孔９４が設けられている。透孔９４は、弾性係止部材８２の長手方向に沿って長く形成され、取付鉤部８６側の端部は取付鉤部８６に向かって膨出する湾曲線で形成され、当接突起９２側の端部は長手方向に対して略平行な直線で形成されている。透孔９４の、下側面８２ｂ側の周縁部には、下側面８２ｂよりも低く厚みの薄い段部９６が一周して設けられている。透孔９４の、端部８２ｄに近い直線の端部には、壁部８８の内側面８８ｂをわずかに切り欠いてくぼむ係止凹部９８が設けられている。係止凹部９８は、オススライダー６０の軸部７８の係止突起８０が差し込まれて収容されるものである。段部９６と係止凹部９８は、ほぼ同じ深さに設けられている。
【００４１】
弾性係止部材８２の、メススライダー６２への取付方法は、弾性係止部材８２の端部８２ｃをメススライダー６２の取付突起８４に、端部６２ａ側から押し付ける。一対の取付鉤部８６は支柱部８４ａの太さより狭い間隔で形成されているが、支柱部８４ａに押し付けると弾性変形して広がり、支柱部８４ａが通過可能となる。支柱部８４ａが通過した後、一対の取付鉤部８６は弾性変形が復元し、支柱部８４ａが通過できなくなり、係止される。これにより弾性係止部材８２の弾性係止部材８２への取り付けが完了する。
【００４２】
次に、連結ファスナー用下止１０の使用方法について説明する。オススライダー６０は、図１６に示すように、ファスナーチェーン部１２の取り付けられた連結ファスナー用下止１０の表部材１８の端部１８ｂ側に取り付ける。この時オススライダー６０の端部６０ｂが連結ファスナー用下止１０に近い方に位置するようにする。メススライダー６２は、オススライダー６０の、連結ファスナー用下止１０と反対側のファスナーチェーン部１２に取り付ける。この時メススライダー６２の端部６２ａがオススライダー６０の端部６０ａに近い方に位置するようにする。メススライダー６２に取り付けられた弾性係止部材８２は、端部８２ｄがオススライダー６０に向かって突出する。
【００４３】
図１６、図１７に示すように、オススライダー６０とメススライダー６２が連結していない状態では、オススライダー６０とメススライダー６２は引手取付部６８に取り付けられた引手６６を保持して引くことにより、独立してファスナーチェーン部１２に沿って移動する。オススライダー６０とメススライダー６２の間のファスナーエレメント１６は、噛合が解除された開き部１７となり、ファスナーチェーン部１２が開いた状態となり、オススライダー６０の端部６０ｂの外側と、メススライダー６２の端部６２ｂの外側は、ファスナーエレメント１６が噛合して閉じた状態となる。
【００４４】
図１８に示すように、メススライダー６２をオススライダー６０に近づけると、メススライダー６２に取り付けられた弾性係止部材８２がオススライダー６０に当接する。弾性係止部材８２の当接突起９２が、オススライダー６０のフック７６の側面７８ａに当接し、更にメススライダー６２をオススライダー６０に近づけると、弾性係止部材８２は側面７８ａに沿ってファスナーチェーン部１２から離れ、メススライダー６２はファスナーチェーン部１２を曲げて傾く。
【００４５】
図１９に示すように、当接突起９２が側面７８ａを乗り越えると、オススライダー６０のフック７６は、弾性係止部材８２の透孔９４に差し込まれる。メススライダー６２の傾きは解消され、オススライダー６０の端部６０ａとメススライダー６２の端部６２ａは連接し、互いに連結された状態となる。オススライダー６０のフック７６の係止突起８０が、弾性係止部材８２の係止凹部９８に嵌合され、適度な強度で係止される。
【００４６】
この状態で、オススライダー６０とメススライダー６２を互いに離す方に力を加えても、オススライダー６０のフック７６が、メススライダー６２の弾性係止部材８２の透孔９４の係止凹部９８側の縁に当接し、離れることがない。また、オススライダー６０とメススライダー６２を互いに近づける方に力を加えても、オススライダー６０の端部６０ａとメススライダー６２の端部６２ａがわずかな隙間を有して隣接しているため、端部６０ａと端部６２ａが当接してもフック７６の係止突起８０が弾性係止部材８２の透孔９４から外れるために必要な長さが不足し、外れることがない。オススライダー６０とメススライダー６２が連結されているため、ファスナーエレメント１６が全長にわたって閉じた状態となり、オススライダー６０とメススライダー６２を移動させても開くことができない。
【００４７】
次に、オススライダー６０とメススライダー６２の連結を解除する時は、連結ファスナー用下止１０に、オススライダー６０を当接させる。図２０に示すように、互いに連結されたオススライダー６０とメススライダー６２を、連結ファスナー用下止１０に当接させると、まずオススライダー６０の板６４ｂの、端部６０ｂ側が、連結ファスナー用下止１０のオススライダー用ガイド面３６に当接してガイドされ、下板６４ｂは裏部材２０の収容空間３４に入り、上板６４ａは表部材１８の収容空間２２に入る。
【００４８】
オススライダー６０が収容空間２２，３４に収容される途中で、図２１に示すように、メススライダー６２の弾性係止部材８２が、連結ファスナー用下止１０の裏部材２０に当接する。弾性係止部材８２の当接面９０が係止部材用ガイド面３８に当接し、更にメススライダー６２を連結ファスナー用下止１０に近づけると、弾性係止部材８２は係止部材用ガイド面３８に沿ってファスナーチェーン部１２から離れ、メススライダー６２はファスナーチェーン部１２を曲げて傾く。オススライダー６０の係止突起８０と、弾性係止部材８２の透孔９４の係合は、ファスナーチェーン部１２に沿って互いに離れる方向には強い取り付け強度を有するが、ファスナーチェーン部１２に対して離れる方向には弱く、弾性係止部材８２は簡単に係止突起８０から離れる。なお、当接突起９２は当接面９０の中心に位置するため、左右に一対設けられた係止部材用ガイド面３８には当接せず、フック７６とともに切欠部４０に差し込まれ、支障がない。
【００４９】
図２２に示すように、更にオススライダー６０、メススライダー６２を連結ファスナー用下止１０に近づけると、オススライダー６０は端部６０ｂが収容空間２２の端縁部２２ｂに当接する位置まで侵入して、収容空間２２，３４に嵌合され、フック７６は切欠部４０に嵌合され、連結ファスナー用下止１０にすっきりと収容される。この時、メススライダー６２の係合は解除されている。メススライダー６２をオススライダー６０から離す方向に力を加えるとオススライダー６０から離れ、ファスナーエレメント１６が開く。
【００５０】
連結ファスナー用下止１０、オススライダー６０、メススライダー６２を取り付けたスライドファスナー１１を、図示しない鞄の開口部等に取り付ける。オススライダー６０とメススライダー６２を連結させると、オススライダー６０とメススライダー６２を移動させてもファスナーエレメント１６が開かない。これにより、鞄に収容された貴重品等を安全に保管することができる。鞄の中の収容物を取り出す時は、オススライダー６０とメススライダー６２を、連結ファスナー用下止１０に収容する位置に移動させ、連結を解除し、メススライダー６２をオススライダー６０から離す方向に移動させる。これによりファスナーエレメント１６が開き、鞄を開けることができる。オススライダー６０とメススライダー６２を任意の位置に移動させることにより、ファスナーチェーン部１２の開き部１７を任意の位置に持ってくることができる。
【００５１】
この実施形態のスライドファスナー１１の連結ファスナー用下止１０によれば、簡単な構造で、ファスナーチェーン部１２の任意の位置に簡単に取り付けられ、取り付けられた所定の位置から移動することがなく、連結されたオススライダー６０とメススライダー６２がファスナーチェーン部１２から抜けることを防ぐことができる。また、メススライダー６２が連結された状態のオススライダー６０を当てるだけで、確実にメススライダー６２との連結を解除することができ、操作性が良好である。必要な時にファスナーエレメント１６を開くことができ、不要の時はオススライダー６０とメススライダー６２を簡単な操作で連結してファスナーエレメント１６が開かないようにすることができる。鞄の開口部等に取り付け、収容物した貴重品等を確実に保持することができる。
【００５２】
この実施形態のスライドファスナー１１の連結ファスナー用下止１０は、表部材１８と裏部材２０を、ファスナーチェーン部１２の表面１２ａと裏面１２ｂから挟んでファスナーチェーン部１２に弾性的に取り付けるものであり、取り付けが簡単で工具を必要とせず、作業効率が良い。表部材１８と裏部材２０の取り付けは、裏部材２０の弾性片４４が表部材１８の嵌合部２８に係止され、嵌合部２８が戻ることを防ぎ、不用意に外れることがない。オススライダー用ガイド面３６が設けられ、ファスナーエレメント１６の下板６４ｂに当接しながら収容空間２２，３４に導くため、容易にオススライダー６０を収容空間２２，３４に嵌合することができる。また、係止部材用ガイド面３８が設けられ、当接させてさらに近づけるだけで容易に弾性係止部材８２をファスナーチェーン部１２から離れる方へ移動させ、オススライダー６０とメススライダー６２の連結を容易に解除することができる。
【００５３】
表部材１８と裏部材２０は、端部１８ｂと端部２０ｂが互いに対向してファスナーチェーン部１２に取り付けられ、ファスナーチェーン部１２のファスナーエレメント１６を含んで収容空間２２，３４を設けることができ、オススライダー６０を円滑に侵入させて嵌合することができる。ファスナーチェーン部１２は柔軟なため、オススライダー６０を勢いよく移動させると折れ曲がることがあるが、ファスナーチェーン部１２が折れ曲がっても、円滑に連結ファスナー用下止１０に嵌合することができる。片手でも簡単に嵌合することができ、操作性が良好である。
【００５４】
オススライダー６０とメススライダー６２の連結は、オススライダー６０のフック７６がメススライダー６２の８２の透孔９４に差し込まれて係止するだけで簡単で確実に行われる。
【００５５】
弾性係止部材８２の透孔９４の周縁部には、オススライダー６０の係止突起８０を係止する係止凹部９８と同じ深さの段部９６が設けられ、オススライダー６０がねじれて係止突起８０が係止凹部９８から外れても連結が維持され、不用意に連結が解除されることがない。またフック７６の軸部７８には逃げ部７９が形成され、オススライダー６０がねじれても透孔９４の内周面にゆとりを有するため、この点でも連結が維持される。
【００５６】
また表部材１８の凸部３０と凹部３２が、裏部材２０の凹部５４と凸部５６にファスナーテープ１４を挟持して係合するため、連結ファスナー用下止１０は移動することがなく、オススライダー６０を強く当接しても取付位置からずれることがない。連結ファスナー用下止１０をずれないように係止するための環部材や縫い糸が不要であり、製造が簡単である。さらに、表部材１８の外側面１８ａには穴や突起がなく、外観がすっきりとするので、いろいろな物品に違和感なく取り付けることができ、マーク等を入れることもでき、デザイン性を高くすることができる。
【００５７】
なお、この発明のスライドファスナーは、上記実施形態に限定されず、適宜変更可能である。この連結ファスナー用下止を使用したスライドファスナーは、鞄以外のいろいろな物品に用いることができる。表部材と裏部材が取り付けられる構造は変更可能であり、簡単で確実にファスナーチェーン部に取り付けられるものであれば良い。ファスナーチェーン部に対して移動を止める凸部と凹部の位置や構造も変更可能であり、確実にファスナーチェーン部に係止されるものであれば良い。凸部と凹部は、不要な場合は無くてもよく、また高さと深さを調整してファスナーチェーン部の取り付け強度を調整することができ、一定の力を加えると移動するようにしても良い。連結ファスナー用下止の材質や表面の仕上げ等、自由に変更することができる。
【符号の説明】
【００５８】
１０  連結ファスナー用下止
１１  スライドファスナー
１２  ファスナーチェーン部
１６  ファスナーエレメント
１７  開き部
１８  表部材
２０  裏部材
２２，３４  収容空間
２８  嵌合部
３０，５６  凸部
３２，５４  凹部
３６  オススライダー用ガイド面
３８  係止部材用ガイド面
４２  係止孔
４４  弾性片
６０  オススライダー
６２  メススライダー
７６  フック
８２  弾性係止部材
８６  取付鉤部
９０  当接面
９２  当接突起
９４  透孔
【図１】
2018183405.tif 000003
【図２】
2018183405.tif 000004
【図３】
2018183405.tif 000005
【図４】
2018183405.tif 000006
【図５】
2018183405.tif 000007
【図６】
2018183405.tif 000008
【図７】
2018183405.tif 000009
【図８】
2018183405.tif 000010
【図９】
2018183405.tif 000011
【図１０】
2018183405.tif 000012
【図１１】
2018183405.tif 000013
【図１２】
2018183405.tif 000014
【図１３】
2018183405.tif 000015
【図１４】
2018183405.tif 000016
【図１５】
2018183405.tif 000017
【図１６】
2018183405.tif 000018
【図１７】
2018183405.tif 000019
【図１８】
2018183405.tif 000020
【図１９】
2018183405.tif 000021
【図２０】
2018183405.tif 000022
【図２１】
2018183405.tif 000023
【図２２】
2018183405.tif 000024